(57)【要約】      （修正有）【課題】阻止体のプラグ栓刃孔への挿入不調を解決する抜け止めコンセントを提供する。【解決手段】回動枠４と天井板２２と両方のうちどちらを基準にするかを選定し、基準にする方は縦中心線と横中心線との交差点を円心として回転軌道を設定する。そしてもう片方は、縦中心線を基準となる方の縦中心線と常に一致させた状態で、回転前の横中心線と回転後の横中心線との交差点を円心とした新たな回転軌道を設ける。そしてその技術を基に、回動枠と、天井板両方を円形にし、コンセント端子を回転軌道全程に設ける、回動枠４や阻止体や基板などを介してプラグ栓刃に直接電源を接通させるようにする。【選択図】図４
2010108895.tif 000002
【特許請求の範囲】
【請求項１】
プラグ栓刃挿入口２ａ、２ｂを設けた天井板２２と、阻止体３a、３ｂを設けた回動枠４を、異なる円心と軌道で約９０度同歩回転させ、阻止体３a、３ｂをプラグ栓刃孔１４a、１４ｂに挿通可能にした抜け止めコンセントであって、天井板２２と回動枠４の回転軌道の設定を、天井板２２の縦中心線９と、回動枠４の縦中心線１１を常に一致させた状態で、片方は縦中心線と横中心線の交差点を円心とし、もう片方は、回転前の状態での横中心線と、回転後の状態での横中心線との交差点を円心として回転軌道を設定したことを特徴とする抜け止めコンセント。
【請求項２】
プラグ栓刃挿入口２ａ、２ｂを設けた天井板２２と、阻止体３a、３ｂを設けた回動枠４を、異なる円心と軌道で約９０度同歩回転させ、阻止体３a、３ｂをプラグ栓刃孔１４a、１４bに挿通可能にした抜け止めコンセントにおいて、上記天井板２２は縦中心線９と横中心線１０の交差点である中心点８を円心とした軌道で回転し、回動枠４は縦中心線１１を天井板２２の縦中心線９と常に一致させた状態で、回転前の状態で横中心線１２と、回転後の状態での横中心線１２との交差点１３を円心にして回転軌道１６を設けたことを特徴とする請求項１の抜け止めコンセント。
【請求項３】
プラグ栓刃挿入口２ａ、２ｂを設けた天井板２２と、阻止体３a、３ｂを設けた回動枠４を、異なる円心と軌道で約９０度同歩回転させ、阻止体３a、３ｂをプラグ栓刃孔１４a、１４ｂに挿通可能にした抜け止めコンセントにおいて、上記回動枠４は縦中心線１１と横中心線１２の交差点である中心点６を円心とした軌道で回転し、天井板２２は、縦中心線９を、縦中心線１１と常に一致させた状態で、阻止体３a、３ｂがプラグ栓刃孔１４a、１４ｂに挿入されていない回転前の状態での天井板横中心線１０と、阻止体３a、３ｂがプラグ栓刃孔１４a、１４ｂに挿入された回転後の状態での天井板横中心線１０との交差点２６を円心とした回転軌道２８を設けたことを特徴とする請求項１の抜け止めコンセント。
【請求項４】
プラグ栓刃挿入口２ａ、２ｂを設けた天井板２２と、阻止体３a、３ｂを設けた回動枠４を、異なる円心と軌道で約９０度同歩回転させ、阻止体３a、３ｂをプラグ栓刃孔１４a、１４ｂに挿通可能にした抜け止めコンセントにおいて、回転軌道の設定を、縦中心線９と縦中心線１１を常に一致させた状態で、片方は縦中心線と横中心線の交差点を円心とし、もう片方は、回転前の状態での横中心線と、回転後の状態での横中心線との交差点を円心として回転軌道を設定し、電源接続用コンセント端子２１a、２１ｂを、プラグ栓刃１a、１ｂをコンセントに挿入して約９０度回転するまでの回転軌道全程に設け、プラグをコンセントに挿入した時点から通電し、プラグを約９０度回転させると通電状態で抜け止め状態になることを特徴とした上記請求項１から請求項３の何れかの抜け止めコンセント。
【請求項５】
プラグ栓刃挿入口２ａ、２ｂを設けた天井板２２と、阻止体３a、３ｂを設けた回動枠４を、異なる円心と軌道で約９０度同歩回転させ、阻止体３a、３ｂをプラグ栓刃孔１４a、１４ｂに挿通可能にした抜け止めコンセントにおいて、回転軌道の設定を、縦中心線９と縦中心線１１を常に一致させた状態で、片方は縦中心線と横中心線の交差点を円心とし、もう片方は、回転前の状態での横中心線と、回転後の状態での横中心線との交差点を円心として回転軌道を設定し、電源接続用コンセント端子２１a、２１ｂを、プラグ栓刃１a、１ｂをコンセントに挿入して約９０度回転された位置に設け、プラグを約９０度回転させて始めて電源が繋がると同時に抜け止め状態となり、プラグを挿入位置に回して戻すと、抜け止めが解除されると同時に電源が切断されるようにしたことを特徴とする請求項１から請求項３の何れかの抜け止めコンセント。
【請求項６】
プラグ栓刃挿入口２ａ、２ｂを設けた天井板２２と、阻止体３a、３ｂを設けた回動枠４を、異なる円心と軌道で約９０度同歩回転させ、阻止体３a、３ｂをプラグ栓刃孔１４a、１４ｂに挿通可能にした抜け止めコンセントにおいて、電源接続用コンセント端子２１a、２１ｂと回動枠４を一体化させ、回動枠４若しくは阻止体３a、３ｂを介してプラグ栓刃１a、１ｂに電源を接通出来るようにしたことを特徴とした上記請求項１から請求項５の何れかの抜け止めコンセント。
【請求項７】
プラグ栓刃挿入口２ａ、２ｂを設けた天井板２２と、阻止体３a、３ｂを設けた回動枠４を、異なる円心と軌道で約９０度同歩回転させ、阻止体３a、３ｂをプラグ栓刃孔１４a、１４ｂに挿通可能にした抜け止めコンセントにおいて、コンセント端子２１a、２１ｂを単独に設ける代りに、電源接続用コンセント端子２１a、２１ｂを、コンセント基板１７に設けたプラグ栓刃軌道溝１９a、１９ｂと一体化させ、プラグ栓刃軌道溝１９a、１９ｂのプラグ栓刃の回転軌道全程か、またはプラグ栓刃が約９０度回転した位置に電源を接通可能に設けたことを特徴とする上記請求項１から請求項５の何れかの抜け止めコンセント。
【請求項８】
プラグ栓刃挿入口２ａ、２ｂを設けた天井板２２と、阻止体３a、３ｂを設けた回動枠４を、異なる円心と軌道で略９０度同歩回転させ、阻止体３a、３ｂをプラグ栓刃孔１４a、１４ｂに挿通可能にした抜け止めコンセントにおいて、上記天井板２２と回動枠４の外延形状を両方とも円形にしたことを特徴とした上記請求項１から請求項７までの何れかの抜け止めコンセント。
【発明の詳細な説明】
【技術分野】
【０００１】
当発明は、電源をつなぐ配線用差込接続器のうち、平行した板状栓刃を２本持つプラグの差込を受けるＡタイプコンセント（以下コンセントと言う）の構造及び機能に関するもので、同じプラグの挿入を受ける２極コネクタボディ、マルチダップ、テーブルダップ、コーナーダップなども含む。
【背景技術】
【０００２】
従来形のコンセントは、プラグをコンセントに挿し抜きする時の不便さ、コンセント端子の挟持力が弱くなった時の電源の不安定さや、プラグが中途半端な差し状態になりやすく、完全抜け止め状態にならないなど多くの問題を抱えていた。これらの問題点を解決するために同一発明者による下記の技術思想が開示されてある。
【先行技術文献】
【特許文献】
【０００３】
【特許文献１】特許第４１１７３４４号
【発明の概要】
【発明が解決しようとする課題】
【０００４】
上記特許文献１は、当出願者が出願した同一課題に関するものであるが、その基本要素は次のものであった。プラグ栓刃２a、２ｂをコンセントに挿入して所定の円心と軌道で略９０度回動可能にし、プラグが略９０度回転された時の位置に電源となるコンセント端子１６a、１６ｂを設け、プラグ栓刃孔３a、３ｂに挿通可能な円柱形突出部６a、６ｂを、プラグ栓刃２a、２ｂと異なる円心と軌道で同歩回転させ、プラグをコンセントに差し抜きしやすく、プラグ栓刃２a、２ｂと回動枠４を略９０度回転させると、プラグ栓刃とコンセント端子１６a、１６ｂが接触して通電されると同時に、円柱形突出部６a、６ｂがプラグ栓刃孔３a、３ｂに挿通され、抜け止め状態に成るようにしたもので、その技術思想の新規性および進歩性については既に認められてある。（特許文献請求項１参照）
【０００５】
しかし、上記特許文献の請求項１、請求項２、請求項３の具体的技術手段においては、大きな欠点があることがわかった。その欠点とは、プラグをコンセントに挿入して約９０度回転した際に、具合によって円柱形突出部６a、６ｂがプラグ栓刃孔３a、３ｂにスムーズに挿入されなかったりするドラブルガ発生するということがわかった。
【課題を解決するための手段】
【０００６】
上記特許文献のドラブルガ発生しやすい原因は、上記特許文献は、回動天井板１９を基準として固定した軌道で回転し、回動枠４に設けた円柱形突出部６a、６ｂの中心点位置を移動させながら回転したものであるが、回動枠４の軌道設定方法において、突出部６a、６ｂの中心点をそのまま回動枠４の円心として、回動枠４の回転軌道を設定した。そして回動枠４と回動天井板１９の位置を配置する際に、回動枠４と回動天井板１９の二つの円形軌道を、極力回転前は突出部６a、６ｂがプラグ栓刃挿入孔３a、３ｂに挿入されていない位置に、回転後は突出部６a、６ｂがプラグ栓刃孔３a、３ｂに挿通された位置になれるようにするために、回動天井板１９と回動枠４の二つの円形軌道を、平面図上での円形軌道の右下方に重ね合せて配置し、それにより出来る限り上記二つの円形軌道を回転前と回転後の二つの状態に近い状態になれるように工夫したものである。（特許文献図１a、図１ｂ、図８参照）
【０００７】
そして、回動枠４の中心点が回転しながら回動枠４の中心部に設けた中心孔７と中心竿３１に設けられた突出部２３のスライドで中心点を移動させる仕組みであったが（特許文献明細書４ページ上から第１３行から１６行）、そのため次の三つの問題が発生した。
【０００８】
一つ目は突出部６a、６ｂの縦中心線と、プラグ栓刃孔３a、３ｂの縦中心線が、回転前の時点と回転後の時点で僅かに偏離してしまい、その偏離距離が、回転するときの都合によって、突出部６a、６ｂがプラグ栓刃孔３a、３ｂに挿入されない原因の一つであった。二つ目は、回動天井板１９と回動枠４の縦中心線が偏離してしまったため、その偏離した分、突出部６a、６ｂがプラグ栓刃孔３a、３ｂに挿入された場合でも、所定の位置まで貫通されていないことになる。三つ目は、上記特許文献の回動枠４の外形形状は円形の両側を切り外した略長方形に形成されたもので、それを上記の二つの円形軌道を平面図上の右下方に重ね合せ、縦中心線の偏離距離を両方に分散させて配置したため、回動枠軌道穴９と回動枠４の両弧形端部との間に隙間（遊び場）が生じ、（特許文献図１a,図1ｂ参照）その隙間も場合によっては、回転枠４の回転軌道の精密度に影響を及ぼす原因になったわけである。
【０００９】
当発明は，上記指摘した特許資料の問題を完全に解決し、ドラブルのない抜け止めコンセントを提供するために、阻止体３a、３ｂを設けた回動枠４と、プラグ栓刃挿入口２a、２ｂを設けた天井板２２と両方の回転軌道を次の新しい方法で軌道設定を行う。  
【００１０】
まず回動枠４と天井板２２と両方のうちどちらを基準にするかを選定し、基準にする方は縦中心線と横中心線との交差点を円心として回転軌道を設定する。つまり、天井板２２を基準にする場合は、プラグ栓刃挿入口２a、２ｂの中心点をそのまま天井板２２の円心にし、回動枠４を基準にする場合は、阻止体３a、３ｂの中心点をそのまま回動枠４の円心にする。
【００１１】
そしてもう片方は、縦中心線を上記基準となる方の縦中心線と、回転前から回転後まで常に一致した状態を維持させた上で、回転前の横中心線と回転後の横中心線との交差点を円心として、新たな回転軌道を設ける。それにより天井板２２と回動枠４の両方のうちどちらを基準にすることも可能になるし。どちらを基準にしても、プラグをコンセントに挿入して回転させると、自動的に両方の縦中心線は常に一致し、両方の回転は同歩となり、阻止体３a、３ｂは所定の距離を移動され、プラグ栓刃孔１４a、１４ｂにスムーズに且つ確実に貫通されるようになる。
【００１２】
そしてその技術を基に、回動枠４と、天井板２２の両方の形状を円形にし、コンセント端子２１をプラグ栓刃１a、１ｂの回転軌道全程に設ける、コンセント端子２２を別途設けず、回動枠４や阻止体３a、３ｂを介してプラグ栓刃１a、1ｂに直接電気を接通させる、コンセント端子を回動枠４の下の基盤１７に設けるなどの改良を行なう。
当発明は以上の手段により課題を解決し、それにより次のような効果を現す。
【発明の効果】
【００１３】
（イ）本発明は、阻止体３a、３ｂをプラグ栓刃孔１４a、１４ｂに挿通させて抜け止め機能を果たす技術において、上記特許資料においてドラブルが発生しうる欠陥の原因は、回転軌道の設定方法にあることを究明し、回動枠４と天井板２２のうち、基準とする方は縦中心線と横中心線の交差点をそのまま回転軌道の円心とし、もう片方は、回転前の状態での横中心線と回転後の状態での横中心線の交差点を円心とした、新しい軌道設定方法を提供することで、阻止体３a、３ｂをプラグ栓刃孔１４a、１４ｂに確実に挿通させる課題を解決した。
（ロ）当発明の阻止体３a、３ｂをプラグ栓刃孔１４a、１４ｂに挿入させる具体的手
段は、回動枠４と天井板２２を異なる円心と軌道で同歩回転させることであるが、上記特許資料は天井板２２を基準として、回動枠４を天井板２２と異なる円心で回転させる方法のみであった。そこで当発明の新しい軌道設定方法によって、回動枠４と天井板２２の両方のうちどちらをも基準にすることが可能になったので、技術的な面での空白を埋めたことができた。
（ハ）コンセントの使い方においては、慣れた使い方に馴染み、プラグをコンセントに挿入して一回まわすのを面倒と感じる人が入ることも考えられる。当発明はプラグを回転させて始めて通電する新しいタイプのコンセント以外に、コンセント端子２１をプラグ栓刃１a、１ｂの回転軌道全程に設けることで、コンセントを従来の使い方を変えずに使えることが出来る上、必要な場合のみプラグを回して抜け止め状態にする新しい機能を加えたことにより、一段と機能的なコンセントを一緒に提供した。
（ニ）当発明はコンセントの構造の中から隔離板をなくし、コンセント端子２１と回動枠４を一体化し、回動枠４と天井板２２の両方の外延形状を円形にし、コンセント端子２１を回動枠の下の底板１７に設けるなど一連の改良を行うことで、理論上の合理化と厳密性、技術上の精密度、構造上の簡素化等の面で進歩させた。
【図面の簡単な説明】
【００１４】
【図１ａ】図１aは２２を基準にした場合の回転前の位置関係を示す平面図。
【図１ｂ】図１ｂは天井板２２を基準にした場合の回転後の位置関係を示す平面図。
【図１ｃ】図１ｃは天井板２２を基準にした場合の回転前後の位置変化を示す平面図。
【図１ｄ】図１ｄは天井板２２を基準にした場合の回動枠４の形状を示す平面図。
【図２ａ】図２aは回動枠４を基準にした場合の回転前の位置関係を示す平面図。
【図２ｂ】図２ｂは回動枠４を基準にした場合の回転後の位置関係を示す平面図。
【図２ｃ】図２ｃは回動枠４を基準にした場合の回転前後の位置変化を示す平面図。
【図２ｄ】図２ｄ回動枠４を基準にした場合の天井板の形状を示す平面図。
【図３】図３は天井板２２を基準にした場合の回動枠４の形状を示す平面図。
【図４】図４実施例１の分解斜視図。
【図５】図５プラグ栓刃軌道溝１９a、１９ｂを示す平面図。
【図６】図６は実施例２のコンセント端子２１a、２１ｂを示す斜視図。
【図７ａ】図７aは図７ｂの回動枠４の断面位置を示す平面図。
【図７ｂ】図７ｂは実施例３の回動枠４の中央局部端面図。
【図８】図８は実施例３の電源導体３４を示す斜視図。
【図９】図９はプラグの斜視図。
【図１０】図１０は実施例４の中心断面図。
【発明を実施するための形態】
【００１５】
本発明の軌道設定方法について、まず天井板２２を基準とする場合を例に図面にて説明する。図１aは、プラグ栓刃挿入口２a、２ｂを設けた天井板２２の上に、阻止体３a、３ｂがプラグ栓刃孔１４a、１４ｂに挿入されていない回転前の状態で回動枠４を配置したものである。天井板２２の縦中心線９と回動枠４の縦中心線１１は一致するが、横中心線１０と１２は一致していない。天井板２２は、縦中心線９と横中心線１０の交差点であるプラグ栓刃挿入口２a、２ｂの中心点８をそのまま天井板の円心として回転軌道を設定してある。この段階で回動枠４の回転前後の位置変化を表わすために仮設回転軌道２９を設けてある。
【００１６】
図１ｂは、上記天井板２２を約９０度回転させた状態に、阻止体３a、３ｂがプラグ栓刃孔１４a、１４ｂに挿入された回転後の状態で、回動枠４にを配置したものである。同じく天井板２２と回動枠４と両方の縦中心線９と１１は一致するが、横中心線１０と１２は一致していない。回動枠４の回転軌道２９は仮設軌道である。
【００１７】
そして図１ｃは、上記図１aと図１ｂを基準となる中心点８を重合させたもので、それにより回動枠４及び回動枠４に設けたプラグ栓刃挿入孔５a、５ｂと阻止体３a、３ｂの回転前の位置と回転後の移動された位置を顕した。そしてその位置を確定し、回転前の横中心線１２と回転後の横中心線１２の交差点１３を円心として、上記確定したプラグ栓刃挿入孔５a、５ｂと阻止体３a、３ｂが設けられた四つの空間を包括出来る新たな回転軌道１６を設けた。すると、円心および縦中心線とわずかに偏離された位置にプラグ栓刃挿入孔５a、５ｂと阻止体３a、３ｂを設けた回動枠４の形状が出来上がる。以上が天井板２２を基準にした場合の回動枠４の軌道設定方法である（図１ｃ、図１ｄ参照）
【００１８】
今度は、回動枠４を基準にした場合、プラグ栓刃挿入口２ａ、２ｂを設けた天井板２２の回転軌道設定方法を図面にて説明する。回動枠４を基準にした場合は、上記天井板２２を基準とした場合と基本的に設定方法を逆にすればよい。つまり、基準となる回動枠４はプラグ栓刃挿入孔５a、５ｂと阻止体３a、３ｂを配置した二つの四角空間の中心点６を、そのまま回動枠４の中心点６及び回転軌道の円心として設定する。
【００１９】
そして、図２aのように回動枠４の回転前の状態に、阻止体３a、３ｂがプラグ栓刃孔１４a、１４ｂに挿入されていない状態で天井板２２を配置し、次に 図２ｂのように回動枠４を約９０度回転させた状態に、阻止体３a、３ｂがプラグ栓刃孔１４a、１４ｂに挿入された状態で配置する。そして、 上記回転前の状態の図２aと回転後の状態の図２ｂの中心点６を重合させる。するとプラグ栓刃挿入口２a、２ｂの回転前と回転後の四つの位置が現れるので、その位置を確定し、天井板２２の回転前と回転後の状態での横中心線１０の交差点２６を円心として、上記で確定したプラグ栓刃挿入口２a、２ｂの回転前後の四つの位置を包括出来る天井板２２の回転軌道２８を設定する。そしてその回転軌道２８の円形に適度の外縁の突出辺縁２３を設ければ天井板２２の形状が形成される（図２a、図２ｂ、図２ｃ、図２ｄ参照）
【００２０】
本発明は上記の方法で軌道設定を行い、それにより天井板２２と回動枠４の両方のうちどちらをも基準にすることも可能であり、どちらを基準にしても、プラグをコンセントに挿入して回転させると、自然に両方の縦中心線は常に一致し、両方の回転は同歩となり、阻止体３a、３ｂは所定の距離を確実に移動して、プラグ栓刃孔１４a、１４ｂにスムーズに且つ確実に挿通されるようになる。
【００２１】
上記に述べた軌道設定方法以外に、例えば、天井板と回動枠の両方のうちどちらをも基準にしないで、両方の縦中心線も一致させないで、中心点の偏離距離を天井板と回動枠の両方に分け合って設定する方法も不可能ではないのだが、その場合は両方の縦中心線をも改めて設定しなければならないので、設計がより複雑になるだけで、特に利点が無く、理論上上記の設定方法と同じ理論に過ぎないので提唱しない。下記は当発明の軌道設定方法を実施した幾つかの実施例を、実施例１から図面を参照しながら詳細に説明する。
【実施例１】
【００２２】
コンセントの底層は基板１７から形成し、基板１７の中心部は上記図１ｄの回動枠回転軌道１６と合致する円形の凹部を形成し、その凹部の周壁を上方に突出させて回動枠軌道壁１８を突設する。回動枠軌道壁１８の中心の凹む部分の基板１７の表面には、プラグをコンセントに挿入して回転する際のプラグ栓刃１a、１ｂの軌道とプラグ栓刃先端部の形状に合わせた、プラグ栓刃軌道溝１９a、１９ｂを凹設する。（図５ 参照）
【００２３】
そして、回動枠軌道壁１８の中に回動枠４を回転自在に嵌入させる。回動枠４は円形枠の中に図３のように、当発明の軌道設定方法により設定された円形枠の中心点８と僅かに偏離された位置に四角形空間の中にプラグ栓刃挿入孔５a、５ｂと阻止体３a、３ｂを設け、枠の中心部には突出部２４が突設されている。そして回動枠４を嵌入させた基板１７の上の、プラグ栓刃１a、１ｂをコンセントに挿入した時の位置から約９０度回転させた位置までのプラグ栓刃１a、１ｂの回転軌道全程の片側か、或いは両側に、銅などの弾性を有する導体で電源となるコンセント端子２１a、２１ｂを設ける。（図３、図４参照）
【００２４】
そして、コンセント端子２１a、２１ｂの上方は天井板２２を設けるのだが、天井板２２は円形板の上に、プラグ栓刃差入孔口２a、２ｂを貫設しており、円形板の辺縁には円形板突出辺縁２３が設けており、円形板の裏面の中心部には四方形の突出部２０が垂設されており、天井板突出部２０は上記回動枠４の中心部に突設された突出部２４をなかに嵌入させ、その内部で所定の距離までスライド可能なスペースを設けた中空状空間を形成する。
【００２５】
そして最上層はカバー２５を覆設するが、カバー２５には天井板嵌入孔２７が設けられてある。組立てた時点で、天井板２２に設けられたプラグ栓刃差入口２a、２ｂは、その下の回動枠４に設けられたプラグ栓刃挿入口５a、５ｂと、基板１７に設けられたプラグ栓刃軌道溝１９a、１９ｂの回転前の位置と一致するが、天井板２２の中心点８と回動枠４の中心点６の位置はわずかに偏離している。（図１ｄ参照）
【００２６】
上記実施例は、天井板２２を基準にした場合でも、回動枠４を基準にした場合でも、基本構造は同じであり、違いは天井板２２を基準にした場合、回動枠４のプラグ栓刃挿入孔５a、５ｂと阻止体３a、３ｂの位置が回動枠４の中心点とわずかに偏離し、回動枠４を基準にした場合は、プラグ栓刃差入口２a、２ｂの位置が天井板２２の中心点とわずかに偏離する。
【００２７】
いずれの場合であっても、コンセントを組立した時点で、回動枠４に設けられたプラグ栓刃挿入口５a、５ｂと天井板２２に設けられたプラグ栓刃差入口２a、２ｂの位置は一致するが、回動枠４の中心点と天井板２２の中心点はわずかに偏離する。当発明の製造の際、金属導体と合成樹脂など耐熱性、強度、耐久性を備えた非導体素材を使い分けすることで、電源の短絡や発火、被覆の溶け、トラッキング現象などを防止し、コンセントの種類や用途によって、カバーの形状を変えられる。
【００２８】
当発明は以上の構造により形成し、これを使用する際は、プラグ栓刃１a、１ｂを天井板２２に設けられたプラグ栓刃差入口２a、２ｂに差入すると、プラグ栓刃１a、１ｂはコンセント端子２１a、２１ｂと、回動枠４に設けられたプラグ栓刃挿入口５a、５ｂを通過して、先端部は基板１７に設けられたプラグ栓刃軌道溝１９a、１９ｂにまで挿入される。この時点でプラグ栓刃１a、１ｂはすでにコンセント端子２１a、２１ｂに挟持、又は接触され通電状態になるので、そのまま従来のコンセント同様に使用することが可能である。
【００２９】
そして、コンセントを抜け止め状態にしたいときは、プラグをコンセントに挿入された状態で時計方向に約９０度回転させる。するとプラグ栓刃１a、１ｂはコンセント端子２１a、２１ｂに挟持された状態で滑動しながら天井板２２と一緒に回転し、同時に、プラグ栓刃１a、１ｂの回動枠４に設けられたプラグ栓刃挿入孔５a、５ｂの側壁に対する推圧作用と、突出部２４と天井板突出部２０との連動作用で、回動枠４はプラグ栓刃１a、１ｂと縦中心線９、１１が一致した状態で同歩回転をはじめる。
（プラグの回転方向においては、反時計方向に回転させることも可能だが、右利きの場合は時計方向に回転した方が都合がよい）
【００３０】
しかし、プラグ栓刃挿入口２a、２ｂを設けた天井板２２および基板１７に設けられたプラグ栓刃軌道溝１９a、１９ｂの円心と、回動枠４の円心の位置が異なっているため、阻止体３a、３ｂはプラグ栓刃１a、１ｂと同歩回転の過程で、中心点が移動され、約９０度回転した時点では、阻止体３a、３ｂがそれぞれプラグ栓刃孔１４a、１４ｂに完全に挿通されるようになる。
【００３１】
阻止体３a、３ｂがプラグ栓刃孔１４a、１４ｂに挿通されると、阻止体３a、３ｂが円柱形から形成されているため、回動枠４に係止され、回動枠４の上にはコンセント端子２１a、２１ｂが螺子とめされており、さらにその上は天井板２２の突出辺縁２３がコンセントカバー２５に嵌合されているので、プラグ栓刃１a、１ｂは完全に抜け止め状態となる。（図４、図１０参照）
【００３２】
そして、プラグをコンセントから外すときは、上記と反対方向の反時計方向にプラグをまわし戻すと、阻止体３a、３ｂがプラグ栓刃孔１４a、１４ｂから抜け離れ、抜け止めが解除されるので、プラグを引き抜けられる状態になる。
【００３３】
当実施例は、プラグ栓刃１a、１ｂがコンセント端子２１a、２１ｂに挟持される面積が従来形コンセントの約半分足らず、その分抜き差し時のコンセント端子２１a、２１ｂの挟持力による抵抗感は弱いが、にもかかわらず、プラグ栓刃１a、１ｂは天井板のプラグ栓刃挿入口２a、２ｂと回動枠４のプラグ栓刃挿入孔５a、５ｂと基板１７に設けたプラグ栓刃軌道槽１９a、１９bの数箇所の係止作用を受けながら、コンセント端子２１a、２１ｂに挟持された状態であるため、安定性が高く、プラグ栓刃１a、１ｂがゆるくなったり、中途半端に差込まれた状態になったりすることが無く、手軽に操作ができるので、従来のコンセントと同じ使い方で使用可能でありながらも、従来形コンセントの欠点が解決できる。
【００３４】
コンセントにプラグが挿入されていない時は、回動枠４の外側壁面と回動枠軌道壁１８との適度の摩擦力と、天井板突出部２０の突出部２４に対しての係止作用で、回動枠４が勝手に回転されることや、プラグ栓刃挿入口２a、２ｂの位置が勝手に移動されることはない。
【実施例２】
【００３５】
当実施例は、電源接続用コンセント端子２１a、２１ｂの設置位置において、プラグ栓刃１a、１ｂをコンセントに挿入した時の位置から、プラグ栓刃を約９０度回転させた位置までの、プラグ栓刃回転軌道２８の全程にコンセント端子２１a、２１ｂを設けた上記実施例１と違い、電源接続用コンセント端子２１a、２１ｂを、基板１７の上のプラグ栓刃１a、１bを約９０度回転された位置に設けることで、プラグ栓刃１a、１ｂをコンセントに挿入した時点では通電せず、プラグ栓刃１a、１ｂを約９０度回転させると、プラグ栓刃１a、１ｂがコンセント端子２１a、２１ｂに接触、または挟持され通電状態になると同時に、阻止体３a、３ｂがプラグ栓刃孔１４a、１４ｂに挿通され抜け止め状態となり、プラグを元の挿入位置に回し戻すと、阻止体３a、３ｂがプラグ栓刃孔１４a、１４ｂから抜かれ、抜け止め状態が解除されると同時に、プラグ栓刃１a、１ｂがコンセント端子２１a、２１ｂから離れ、電源が切断されるようになる。それ以外のところは実施例１と同様である。（図５、図６参照）
【実施例３】
【００３６】
当実施例は、電源接続用コンセント端子２１a、２１ｂを別途設けることなく、コンセント端子２１a、２１ｂと回動枠４を一体化させ、阻止体３a、３ｂと回動枠４を介してプラグ栓刃１a、１ｂに直接電源を接通するようにしたものである。そのために、プラグ栓刃挿入孔５a、５ｂと阻止体３a、３ｂを設けた貫通空間の両側に銅片などの弾性を持つ導体３３を設け、その導体３３を回動枠４の表面に露出させて、回転軌道壁１８に接続可能にする。そして回転軌道壁１８には上記の回動枠４の表面に露出した導体３３と接続される場所にも電源と繋がる導体３４を設ける。（（図７、図８参照）
【００３７】
なお、回転軌道壁１８に設ける導体３４の設置場所や設置手段は、コンセントのタイプによって変えることができる。例えば実施例１のようなプラグをコンセントに挿入した時点から通電するタイプの場合は、回転枠軌道壁１８の回動枠４と接続する回転軌道全程に導体３４を設ける。そして実施例２のようなプラグ栓刃１a、１bを約９０度回転して初めて通電するタイプは、プラグ１a、１bが約９０度回転した場所に導体３４を設ければよいのである。（図８参照）
【００３８】
この実施例はコンセント端子２１a、２１ｂと阻止体３a、３ｂと回動枠４を一体化させ、コンセント端子２１代わりに導体を回転枠軌道壁１８と回動枠４の中に組み込めたもので、機能的には上記の実施例１及び実施例２と大きな違いはないが、構造上より簡素化されたことによって生産難度の改善とコスト削減に繋がる。なお、電源となる導体を設ける場所や手段は上記限りではない。それ以外のところは上記実施例１、もしくは実施例２に同様である。（図８参照）
【実施例４】
【００３９】
上記の実施例の電源となるコンセント端子２１a、２１ｂを位置的に回動枠４の上方、もしくは回動枠４と阻止体３a、３ｂと一体化されて設けられたことと異なり、この実施例は、コンセント端子２１a、２１ｂを回動枠４の下方の基板１７の上のプラグ栓刃軌道溝１９a、１９ｂと一体化させたものである。この実施例はプラグ栓刃軌道溝１９a、１９ｂを銅などの金属導体にし、それに電源を繋げることで、プラグ栓刃１a、１ｂをコンセントに挿入した時点で、プラグ栓刃の先端部がプラグ栓刃軌道溝１９a、１９ｂに接する、又は挟持され通電するような構造であるが、通電させる位置をプラグ栓刃軌道溝１９a、１９ｂの回転軌道全程にするとプラグをコンセントに挿入した時点で通電して、上記実施例１と同様に従来形のコンセントと同じ使い方ができ、プラグが約９０度回転された位置で通電できるように設けると、上記実施例２に同様にプラグを回転して初めて通電するタイプになる。他のところは上記実施例１、もしくは実施例２同様である。
【００４０】
ただし、当実施例の場合は、プラグ栓刃軌道溝１９a、１９ｂとコンセント端子を一体化させたことになり、その具体的方法は此の限りではないが、いずれにしてもプラグ栓刃の先端部がプラグ栓刃軌道溝１９a、１９ｂに接触、又は挟持され通電する構造であるので、プラグ栓刃に電源を接続するための接触部分が、プラグ栓刃の先端部分のみになるので、接続の緊合度や安定性を強化する工夫が必要である。（図４、図１０参照）
【符号の説明】
【００４１】
１a、１b      プラグ栓刃
２a、２b      プラグ栓刃挿入口
３a、３b      阻止体
４            回動枠
５a、５b      プラグ栓刃挿入孔
６            回動枠中心点
７            螺子孔
８            天井板中心点
９            天井板縦中心線
１０          天井板横中心線
１１          回動枠縦中心線
１２          回動枠横中心線
１３          回動枠横中心線交差点
１４a、１４b  プラグ栓刃孔
１５          天井板仮設回転軌道
１６          回動枠回転軌道
１７          基板
１８          回動枠軌道壁
１９a、１９b  プラグ栓刃軌道溝
２０          天井板突出部
２１a、２１b  コンセント端子
２２          天井板
２３          天井板突出辺縁
２４          突出部
２５          コンセントカバー
２６          天井板横中心線交差点
２７          天井板嵌入孔
２８          天井板回転軌道
２９          回動枠仮設回転軌道
３０          電線
３１          螺子穴
３２          電線接続部
３３          電源導体
３４          電源導体
【図１ａ】
2010108895.tif 000003
【図１ｂ】
2010108895.tif 000004
【図１ｃ】
2010108895.tif 000005
【図１ｄ】
2010108895.tif 000006
【図２ａ】
2010108895.tif 000007
【図２ｂ】
2010108895.tif 000008
【図２ｃ】
2010108895.tif 000009
【図２ｄ】
2010108895.tif 000010
【図３】
2010108895.tif 000011
【図４】
2010108895.tif 000012
【図５】
2010108895.tif 000013
【図６】
2010108895.tif 000014
【図７ａ】
2010108895.tif 000015
【図７ｂ】
2010108895.tif 000016
【図８】
2010108895.tif 000017
【図９】
2010108895.tif 000018
【図１０】
2010108895.tif 000019
【手続補正書】
【提出日】平成21年4月9日(2009.4.9)
【手続補正１】
【補正対象書類名】特許請求の範囲
【補正対象項目名】請求項５
【補正方法】変更
【補正の内容】
【請求項５】
プラグ栓刃挿入口２ａ、２ｂを設けた天井板２２と、阻止体３a、３ｂを設けた回動枠４を、異なる円心と軌道で約９０度同歩回転させ、阻止体３a、３ｂをプラグ栓刃孔１４a、１４ｂに挿通可能にした抜け止めコンセントにおいて、回転軌道の設定を、縦中心線９と縦中心線１１を常に一致させた状態で、片方は縦中心線と横中心線の交差点を円心とし、もう片方は、回転前の状態での横中心線と、回転後の状態での横中心線との交差点を円心として回転軌道を設定し、電源接続用コンセント端子２１a、２１ｂを、プラグ栓刃１a、１ｂをコンセントに挿入して約９０度回転された位置に設け、プラグを約９０度回転させると、プラグが通電されると同時に抜け止め状態となり、プラグを挿入位置に回して戻すと、プラグの抜け止め状態が解除されると同時に通電が切断されることを特徴とする請求項１から請求項３の何れかの抜け止めコンセント。
【手続補正２】
【補正対象書類名】特許請求の範囲
【補正対象項目名】請求項６
【補正方法】変更
【補正の内容】
【請求項６】
プラグ栓刃挿入口２ａ、２ｂを設けた天井板２２と、阻止体３a、３ｂを設けた回動枠４を、異なる円心と軌道で約９０度同歩回転させ、阻止体３a、３ｂをプラグ栓刃孔１４a、１４ｂに挿通可能にした抜け止めコンセントにおいて、電源接続用コンセント端子２１a、２１ｂと回動枠４を一体化させ、回動枠４若しくは阻止体３a、３ｂを介して、プラグに通電させることを特徴とした上記請求項１から請求項５の何れかの抜け止めコンセント。
【手続補正３】
【補正対象書類名】特許請求の範囲
【補正対象項目名】請求項７
【補正方法】変更
【補正の内容】
【請求項７】
プラグ栓刃挿入口２ａ、２ｂを設けた天井板２２と、阻止体３a、３ｂを設けた回動枠４を、異なる円心と軌道で約９０度同歩回転させ、阻止体３a、３ｂをプラグ栓刃孔１４a、１４ｂに挿通可能にした抜け止めコンセントにおいて、コンセント端子２１a、２１ｂを単独に設ける代りに、電源接続用コンセント端子２１a、２１ｂを、コンセント基板１７に設けたプラグ栓刃軌道溝１９a、１９ｂと一体化させ、プラグ栓刃軌道溝１９a、１９ｂのプラグ栓刃の回転軌道全程か、またはプラグ栓刃が約９０度回転された位置でプラグに通電させることを特徴とする上記請求項１から請求項５の何れかの抜け止めコンセント。
【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
プラグ栓刃挿入口２ａ、２ｂを設けた天井板２２と、阻止体３a、３ｂを設けた回動枠４を、異なる円心と軌道で約９０度一緒に回転させ、阻止体３a、３ｂをプラグ栓刃孔１４a、１４ｂに挿通可能にした抜け止めコンセントであって、天井板２２と回動枠４の回転軌道の設定を、天井板２２の縦中心線９と、回動枠４の縦中心線１１を常に一致させた状態で、片方は縦中心線と横中心線の交差点を円心とし、もう片方は、回転前の状態での横中心線と、回転後の状態での横中心線との交差点を円心として回転軌道を設定したことを特徴とする抜け止めコンセント。
【請求項２】
プラグ栓刃挿入口２ａ、２ｂを設けた天井板２２と、阻止体３a、３ｂを設けた回動枠４を、異なる円心と軌道で約９０度一緒に回転させ、阻止体３a、３ｂをプラグ栓刃孔１４a、１４ｂに挿通可能にした抜け止めコンセントにおいて、上記天井板２２は縦中心線９と横中心線１０の交差点である中心点８を円心とした軌道で回転し、回動枠４は縦中心線１１を天井板２２の縦中心線９と常に一致させた状態で、回転前の状態で横中心線１２と、回転後の状態での横中心線１２との交差点１３を円心にして回転軌道１６を設けたことを特徴とする請求項１の抜け止めコンセント。
【請求項３】
プラグ栓刃挿入口２ａ、２ｂを設けた天井板２２と、阻止体３a、３ｂを設けた回動枠４を、異なる円心と軌道で約９０度一緒に回転させ、阻止体３a、３ｂをプラグ栓刃孔１４a、１４ｂに挿通可能にした抜け止めコンセントにおいて、上記回動枠４は縦中心線１１と横中心線１２の交差点である中心点６を円心とした軌道で回転し、天井板２２は、縦中心線９を、縦中心線１１と常に一致させた状態で、阻止体３a、３ｂがプラグ栓刃孔１４a、１４ｂに挿入されていない回転前の状態での天井板横中心線１０と、阻止体３a、３ｂがプラグ栓刃孔１４a、１４ｂに挿入された回転後の状態での天井板横中心線１０との交差点２６を円心とした回転軌道２８を設けたことを特徴とする請求項１の抜け止めコンセント。
【請求項４】
プラグ栓刃挿入口２ａ、２ｂを設けた天井板２２と、阻止体３a、３ｂを設けた回動枠４を、異なる円心と軌道で約９０度一緒に回転させ、阻止体３a、３ｂをプラグ栓刃孔１４a、１４ｂに挿通可能にした抜け止めコンセントにおいて、回転軌道の設定を、縦中心線９と縦中心線１１を常に一致させた状態で、片方は縦中心線と横中心線の交差点を円心とし、もう片方は、回転前の状態での横中心線と、回転後の状態での横中心線との交差点を円心として回転軌道を設定し、電源接続用コンセント端子２１a、２１ｂを、プラグ栓刃１a、１ｂをコンセントに挿入して約９０度回転するまでの回転軌道全程に設け、プラグをコンセントに挿入した時点から通電し、プラグを約９０度回転させると通電状態で抜け止め状態になることを特徴とした上記請求項１から請求項３の何れかの抜け止めコンセント。  
【請求項５】
プラグ栓刃挿入口２ａ、２ｂを設けた天井板２２と、阻止体３a、３ｂを設けた回動枠４を、異なる円心と軌道で約９０度一緒に回転させ、阻止体３a、３ｂをプラグ栓刃孔１４a、１４ｂに挿通可能にした抜け止めコンセントにおいて、回転軌道の設定を、縦中心線９と縦中心線１１を常に一致させた状態で、片方は縦中心線と横中心線の交差点を円心とし、もう片方は、回転前の状態での横中心線と、回転後の状態での横中心線との交差点を円心として回転軌道を設定し、電源接続用コンセント端子２１a、２１ｂを、プラグ栓刃１a、１ｂをコンセントに挿入して約９０度回転された位置に設け、プラグを約９０度回転させると、プラグが通電されると同時に抜け止め状態となり、プラグを挿入位置に回して戻すと、プラグの抜け止め状態が解除されると同時に通電が切断されることを特徴とする請求項１から請求項３の何れかの抜け止めコンセント。
【請求項６】
プラグ栓刃挿入口２ａ、２ｂを設けた天井板２２と、阻止体３a、３ｂを設けた回動枠４を、異なる円心と軌道で約９０度一緒に回転させ、阻止体３a、３ｂをプラグ栓刃孔１４a、１４ｂに挿通可能にした抜け止めコンセントにおいて、電源接続用コンセント端子２１a、２１ｂと回動枠４を一体化させ、回動枠４若しくは阻止体３a、３ｂを介して、プラグに通電可能にしたことを特徴とした上記請求項１から請求項５の何れかの抜け止めコンセント。
【請求項７】
プラグ栓刃挿入口２ａ、２ｂを設けた天井板２２と、阻止体３a、３ｂを設けた回動枠４を、異なる円心と軌道で約９０度一緒に回転させ、阻止体３a、３ｂをプラグ栓刃孔１４a、１４ｂに挿通可能にした抜け止めコンセントにおいて、コンセント端子２１a、２１ｂを単独に設ける代りに、電源接続用コンセント端子２１a、２１ｂを、コンセント基板１７に設けたプラグ栓刃軌道溝１９a、１９ｂと一体化させ、プラグ栓刃軌道溝１９a、１９ｂのプラグ栓刃の回転軌道全程か、またはプラグ栓刃が約９０度回転された位置でプラグに通電可能にしたことを特徴とする上記請求項１から請求項５の何れかの抜け止めコンセント。
【請求項８】
プラグ栓刃挿入口２ａ、２ｂを設けた天井板２２と、阻止体３a、３ｂを設けた回動枠４を、異なる円心と軌道で約９０度一緒に回転させ、阻止体３a、３ｂをプラグ栓刃孔１４a、１４ｂに挿通可能にした抜け止めコンセントにおいて、上記天井板２２と回動枠４の外延形状を両方とも円形にしたことを特徴とした上記請求項１から請求項７までの何れかの抜け止めコンセント。